(57)【要約】  車両（１０）には、エンジン（２）と第一の回転電機（３）と第二の回転電機（４）とが搭載されており、エンジン（２）の動力及び第一の回転電機（３）の動力が互いに異なる動力伝達経路（４２，４１）から個別に駆動輪（５）に伝達されるとともにエンジン（２）の動力が第二の回転電機（４）にも伝達されて発電に利用される。車両（１０）には、第一の回転電機（３）の動力を駆動輪（５）に伝達する動力伝達経路（４１）上に断接機構（７）が設けられる。車両（１０）の制御装置（１）は、車両（１０）に対する要求駆動力を算出するとともに、断接機構（７）が切断されている状態であってエンジン（２）の動力にて駆動輪（５）を駆動している際に、要求駆動力の一部を回転電機（３及び４）のいずれか一方で賄う場合に、車両（１０）の運転状況に基づいて選択した一方の回転電機（３又は４）を力行させる。
2020148974.tif 000002
【特許請求の範囲】
【請求項１】
エンジンと第一の回転電機と第二の回転電機とが搭載され、前記エンジンの動力及び前記第一の回転電機の動力を互いに異なる動力伝達経路から個別に駆動輪に伝達するとともに前記エンジンの動力を前記第二の回転電機にも伝達して発電する車両の制御装置において、
前記車両には、前記第一の回転電機の動力を前記駆動輪に伝達する動力伝達経路上に断接機構が設けられ、
前記制御装置は、前記車両に対する要求駆動力を算出するとともに、前記断接機構が切断されている状態であって前記エンジンの動力にて前記駆動輪を駆動している際に、前記要求駆動力の一部を前記第一の回転電機及び前記第二の回転電機のいずれか一方で賄う場合に、前記車両の運転状況に基づいて選択した前記一方の回転電機を力行させる
ことを特徴とする、車両の制御装置。
【請求項２】
前記制御装置は、前記第一の回転電機、又は、前記第二の回転電機で、前記要求駆動力の一部の駆動力を発生させるための発生期間を前記運転状況から予め推定し、予め推定した前記発生期間に基づき前記一方の回転電機を選択する
ことを特徴とする、請求項１記載の車両の制御装置。
【請求項３】
前記制御装置は、前記発生期間が所定値未満であれば前記第二の回転電機を選択し、前記発生期間が前記所定値以上であれば前記第一の回転電機を選択する
ことを特徴とする、請求項２記載の車両の制御装置。
【請求項４】
前記運転状況には、前記要求駆動力の増加率及び前記車両の周辺状況の少なくとも一方が含まれる
ことを特徴とする、請求項１〜３のいずれか１項に記載の車両の制御装置。
【請求項５】
前記制御装置は、アクセルペダルの踏み込み速度が所定速度以上であれば前記第二の回転電機を選択し、前記踏み込み速度が前記所定速度未満であれば前記第一の回転電機を選択する
ことを特徴とする、請求項１〜４のいずれか１項に記載の車両の制御装置。
【請求項６】
前記制御装置は、前記断接機構が切断されている状態であって前記エンジンの駆動中に、前記要求駆動力が前記エンジンの最大駆動力よりも大きくなったら前記要求駆動力の一部を前記第一の回転電機及び前記第二の回転電機のいずれか一方で賄う
ことを特徴とする、請求項１〜５のいずれか１項に記載の車両の制御装置。
【発明の詳細な説明】
【技術分野】
【０００１】
本発明は、駆動源としてのエンジン及び第一の回転電機と、エンジンの動力で発電する第二の回転電機とが装備された車両の制御装置に関する。
【背景技術】
【０００２】
従来、エンジンと回転電機（モータ，ジェネレータ，モータジェネレータ）とを装備したハイブリッド車両において、走行モードを切り替えながら走行する車両が実用化されている。走行モードには、バッテリの充電電力を用いてモータのみで走行するＥＶモード、エンジンによってジェネレータを発電させながらモータのみで走行するシリーズモード、エンジン主体で走行しつつ必要があればモータでアシストするパラレルモード等が含まれる。【０００３】
エンジンの動力とモータの動力とを個別に出力可能なハイブリッド車両では、エンジンから駆動輪までの動力伝達経路とモータから駆動輪までの動力伝達経路とが別々に設けられる。また、こうしたハイブリッド車両では一般的に、高車速ではエンジン主体で走行するモード（パラレルモード）が選択される。パラレルモードにおいて、モータアシストが不要な場合、すなわちエンジンの動力のみで走行可能な場合には、モータが駆動輪に連れ回されて回転する。このときのモータの連れ回りによって生じた誘起電圧が駆動用バッテリの電圧を上回ると、車両に対して回生ブレーキが働くことになるため、運転者に違和感を与えかねない。【０００４】
従来は、このような違和感を与えないように、弱め磁束制御を実施することで高速走行時に意図しない回生ブレーキが生じることを防いでいた。しかし、弱め磁束制御の実施には電力を消費するため、電費向上の観点からはこの制御の実施は好ましくない。このような課題に対し、エンジン走行中にモータアシストが不要であれば、モータを動力伝達経路から切り離すクラッチ（断接機構）を設けることが提案されている（例えば特許文献１参照）。
【先行技術文献】
【特許文献】
【０００５】
【特許文献１】国際公開第２０１７／２１７０６７号
【発明の概要】
【発明が解決しようとする課題】
【０００６】
ところで、上記の特許文献１のように、モータと駆動軸との間の動力伝達経路上にクラッチを備えた車両では、エンジン走行中にモータアシストが必要であると判断されると、クラッチを接続するための制御が実施される。例えば、エンジン走行中にアクセルペダルが踏み込まれ、要求駆動力が大きく増加した際には、クラッチが接続されてモータアシストが実施される。【０００７】
しかしながら、切断状態のクラッチを接続するためには、クラッチ接続のための動力（油圧や電力）が必要になることに加え、クラッチの接続が完了するまでの間は要求駆動力を実現しにくいという課題がある。このため、クラッチ接続の要否を適切に判断した上でクラッチを接続し、要求される駆動力を効率よく実現するためには、改良の余地がある。【０００８】
本件の制御装置は、このような課題に鑑み案出されたもので、回転電機の駆動力及びエンジンの駆動力のそれぞれで走行可能なハイブリッド車両において、切断状態の断接機構を適切に接続し、要求される駆動力を効率よく実現することを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【０００９】
（１）ここで開示する制御装置は、エンジンと第一の回転電機と第二の回転電機とが搭載され、前記エンジンの動力及び前記第一の回転電機の動力を互いに異なる動力伝達経路から個別に駆動輪に伝達するとともに前記エンジンの動力を前記第二の回転電機にも伝達して発電する車両に設けられる。前記車両には、前記第一の回転電機の動力を前記駆動輪に伝達する動力伝達経路上に介装された断接機構が設けられる。前記制御装置は、前記車両に対する要求駆動力を算出するとともに、前記断接機構が切断されている状態であって前記エンジンの動力にて前記駆動輪を駆動している際に、前記要求駆動力の一部を前記第一の回転電機及び前記第二の回転電機のいずれか一方で賄う場合に、前記車両の運転状況に基づいて選択した前記一方の回転電機を力行させる。【００１０】
なお、前記第一の回転電機とは、回転する電機子又は界磁を有し、少なくとも電動機能を有する電動発電機（モータジェネレータ）又は電動機を意味する。また、前記第二の回転電機とは、回転する電機子又は界磁を有し、少なくとも発電機能を有する電動発電機（モータジェネレータ）又は発電機を意味する。また、前記断接機構としては、例えば、多板クラッチやドグクラッチといったクラッチ機構，係合部材（スリーブ）を用いたシンクロ機構，サンギヤとキャリアとリングギヤとを用いた遊星歯車機構が挙げられる。【００１１】
（２）前記制御装置は、前記第一の回転電機、又は、前記第二の回転電機で、前記要求駆動力の一部の駆動力を発生させるための発生期間を前記運転状況から予め推定し、予め推定した前記発生期間に基づき前記一方の回転電機を選択することが好ましい。【００１２】
（３）前記制御装置は、前記発生期間が所定値未満であれば前記第二の回転電機を選択し、前記発生期間が前記所定値以上であれば前記第一の回転電機を選択することが好ましい。
（４）前記運転状況には、前記要求駆動力の増加率及び前記車両の周辺状況の少なくとも一方が含まれることが好ましい。【００１３】
（５）前記制御装置は、アクセルペダルの踏み込み速度が所定速度以上であれば前記第二の回転電機を選択し、前記踏み込み速度が前記所定速度未満であれば前記第一の回転電機を選択することが好ましい。
（６）前記制御装置は、前記断接機構が切断されている状態であって前記エンジンの駆動中に、前記要求駆動力が前記エンジンの最大駆動力よりも大きくなったら前記要求駆動力の一部を前記第一の回転電機及び前記第二の回転電機のいずれか一方で賄うことが好ましい。
【発明の効果】
【００１４】
開示の車両の制御装置によれば、切断状態の断接機構を適切に接続でき、効率よく要求駆動力を実現することができる。
【図面の簡単な説明】
【００１５】
【図１】実施形態に係る制御装置が搭載されるハイブリッド車両の構成を例示する模式図である。
【図２】車速及び要求駆動力に応じた走行モードを設定したマップ例である。
【図３】動力伝達について説明するための図であり、パラレルモードかつモータクラッチが切断されている状態を示す。
【図４】図１の制御装置で実施される制御内容を例示するフローチャートである。
【発明を実施するための形態】
【００１６】
図面を参照して、実施形態としての車両の制御装置について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１７】
［１．全体構成］
本実施形態の制御装置１は、図１に示す車両１０に適用され、この車両１０に搭載されるエンジン２，モータ３，ジェネレータ４，クラッチ７，８等を制御する。この車両１０は、駆動源としてのエンジン２と走行用のモータ３（第一の回転電機）と発電用のジェネレータ４（第二の回転電機）とを装備したハイブリッド車両である。なお、本実施形態では、これらの機器２，３，４が車両１０の前側に搭載されているものとする。
【００１８】
ジェネレータ４はエンジン２に連結され、モータ３の作動状態とは独立して作動可能である。車両１０にはＥＶモード，シリーズモード，パラレルモードの三種類の走行モードが用意される。これらの走行モードは、制御装置１によって、車両状態や走行状態，運転者の要求駆動力等に応じて択一的に選択され、その種類に応じてエンジン２，モータ３，ジェネレータ４が使い分けられる。
【００１９】
図２は、車速及び要求駆動力に応じて走行モードを選択するときに用いられるマップの一例である。ＥＶモードは、エンジン２及びジェネレータ４を停止させたまま、駆動用のバッテリ９（図１参照）の充電電力を用いてモータ３のみで車両１０を駆動する走行モードである。ＥＶモードは、要求駆動力及び車速がいずれも低い場合やバッテリ９の充電レベルが高い場合に選択される。シリーズモードは、エンジン２でジェネレータ４を駆動して発電しつつ、その電力を利用してモータ３で車両１０を駆動する走行モードである。シリーズモードは、要求駆動力が高い場合やバッテリ９の充電レベルが低い場合に選択される。パラレルモードは、おもにエンジン２の駆動力で車両１０を駆動し、必要に応じてモータ３で車両１０の駆動をアシストする走行モードであり、車速が高い場合や要求駆動力が高い場合に選択される。
【００２０】
図１に示すように、駆動輪５には、複数のギヤやクラッチを内蔵したトランスアクスル２０を介してエンジン２及びモータ３が並列に接続され、エンジン２及びモータ３のそれぞれの動力が互いに異なる動力伝達経路から個別に伝達される。すなわち、エンジン２及びモータ３のそれぞれは、車両１０の駆動軸６を駆動する。また、エンジン２には、トランスアクスル２０を介してジェネレータ４及び駆動輪５が並列に接続され、エンジン２の動力が、駆動輪５に加えてジェネレータ４にも伝達される。
【００２１】
トランスアクスル２０は、デファレンシャルギヤ１８（差動装置、以下「デフ１８」と呼ぶ）を含むファイナルドライブ（終減速機）とトランスミッション（減速機）とを一体に形成した動力伝達装置であり、駆動源と被駆動装置との間の動力伝達を担う複数の機構を内蔵する。
【００２２】
エンジン２は、ガソリンや軽油を燃料とする内燃機関（ガソリンエンジン，ディーゼルエンジン）である。このエンジン２は、クランクシャフト２ａの向きが車両１０の車幅方向に一致するように横向きに配置されたいわゆる横置きエンジンであり、トランスアクスル２０の右側面に対して固定される。クランクシャフト２ａは、駆動軸６に対して平行に配置される。エンジン２の作動状態は、制御装置１で制御されてもよいし、制御装置１とは別の電子制御装置（図示略）で制御されてもよい。
【００２３】
本実施形態のモータ３及びジェネレータ４はいずれも、電動機としての機能と発電機としての機能とを兼ね備えた電動発電機（モータ・ジェネレータ）である。モータ３は、バッテリ９と電力の授受を行なう駆動源であり、おもに電動機として機能して車両１０を駆動し、回生時には発電機として機能する。
【００２４】
ジェネレータ４は、エンジン２を始動させる際に電動機（スターター）として機能し、エンジン２の作動時にはエンジン動力で駆動されて発電する。さらにジェネレータ４は、力行状態では車両１０の駆動軸６に駆動力を伝達する。モータ３及びジェネレータ４の各周囲（又は各内部）には、直流電流と交流電流とを変換するインバータ（図示略）が設けられる。モータ３及びジェネレータ４の各回転速度及び各作動状態（力行運転，回生・発電運転）は、インバータを制御することで制御される。
【００２５】
車両１０には、車両１０に搭載される各種装置を統合制御する制御装置１が設けられる。制御装置１は、例えばマイクロプロセッサやＲＯＭ，ＲＡＭ等を集積したＬＳＩデバイスや組み込み電子デバイスとして構成された電子制御装置であり、車両１０に搭載される各種装置を統合制御する。制御装置１の入力側には、アクセル開度センサ３１，車速センサ３２，カメラ３３，レーダ３４，ナビゲーション装置３５，ウィンカーレバー３６が接続される。以下、これらを総称して入力装置３１〜３６とも呼ぶ。入力装置３１〜３６は、車両１０の運転状況を取得するものである。
【００２６】
アクセル開度センサ３１は、アクセルペダルの踏み込み操作量（アクセル開度）を検出し、車速センサ３２は車速を検出する。カメラ３３は、車両１０の周囲の画像（静止画や動画などの映像）を撮像する装置であり、例えば撮像素子を内蔵したビデオカメラである。レーダ３４は、レーザレーダやミリ波レーダ等であって、車両１０の前端部や後端部等に設置され、車両１０の前方や後方にレーザ波等を送出し、その反射波を受信することで車両１０の前方や後方に存在する物体の情報を検出する。アクセル開度センサ３１，車速センサ３２，レーダ３４はいずれも、検出した情報を制御装置１に伝達する。また、カメラ３３は、撮像した画像を制御装置１に伝達する。
【００２７】
ナビゲーション装置３５は、詳細な地図データを有しており、ＧＰＳ受信部によって受信されたＧＰＳ衛星からの信号と地図データとを使って、車両１０の現在位置の検出（認識）や目的地への経路案内等を行う。ＧＰＳ受信部は、衛星測位システムの情報端末機であって、ＧＰＳ衛星から車両１０の現在位置に関する情報を取得する。ナビゲーション装置３５は、取得した情報を制御装置１に伝達する。また、ウィンカーレバー３６は、ウィンカー（方向指示器）の作動状態を制御するためのスイッチであり、運転者によって操作されるとともにウィンカーの作動状態を制御装置１に伝達する。
【００２８】
制御装置１の出力側には、エンジン２（あるいはエンジン制御装置），モータ３のインバータ，ジェネレータ４のインバータ，クラッチ７，８が接続される。なお、出力側の信号線の図示は省略している。本実施形態の制御装置１は、運転者の要求駆動力等に応じて走行モードを選択し、選択した走行モードに応じて各種機器（例えばエンジン２や回転電機３，４）を制御するとともにトランスアクスル２０内のクラッチ７，８の断接状態を制御する。
【００２９】
本実施形態のトランスアクスル２０には、互いに平行に配列された六つの軸１１〜１６が設けられる。以下、クランクシャフト２ａと同軸上に接続される回転軸を入力軸１１と呼び、駆動軸６と同軸上に接続される回転軸を出力軸１２と呼ぶ。また、モータ３の回転軸，ジェネレータ４の回転軸のそれぞれと同軸上に接続される回転軸を、モータ軸１３，ジェネレータ軸１４と呼ぶ。また、モータ軸１３と出力軸１２との間の動力伝達経路上に配置された回転軸を第一カウンタ軸１５と呼び、入力軸１１と出力軸１２との間の動力伝達経路上に配置された回転軸を第二カウンタ軸１６と呼ぶ。六つの軸１１〜１６はいずれも、両端部が軸受（図示略）を介してトランスアクスル２０のケーシングに軸支される。
【００３０】
トランスアクスル１の内部には、図１中に模様付き太矢印で示す三つの動力伝達経路が形成される。具体的には、モータ３と駆動軸６（出力軸１２）とを繋ぐ第一の動力伝達経路（以下「第一経路４１」と呼ぶ），エンジン２と駆動軸６（出力軸１２）とを繋ぐ第二の動力伝達経路（以下「第二経路４２」と呼ぶ），エンジン２とジェネレータ４とを繋ぐ第三の動力伝達経路（以下「第三経路４３」と呼ぶ）の三つが形成される。第一経路４１及び第二経路４２は駆動用の動力伝達経路であり、第三経路４３は発電用の動力伝達経路である。
【００３１】
第一経路４１は、モータ３の駆動力を駆動軸６に伝達する動力伝達経路である。第一経路４１上には、モータ３と同期して回転することで動力が伝達されるモータ軸１３と、モータ軸１３の動力が伝達される第一カウンタ軸１５とが設けられる。また、第一経路４１の中途（本実施形態では第一カウンタ軸１５上）には、その動力伝達を断接するクラッチ７（断接機構）が介装される。以下、このクラッチ７を「モータクラッチ７」と呼ぶ。第一カウンタ軸１５には、右側から順に、モータ軸１３のギヤ１３ａと噛み合うギヤ１５ａと、モータクラッチ７と、出力軸１２に設けられたデフ１８のリングギヤ１８ｂと噛み合うギヤ１５ｂとが設けられる。
【００３２】
モータクラッチ７は、例えば湿式の多板クラッチやドグクラッチである。モータクラッチ７よりも動力伝達経路の上流側の動力（すなわちモータ３の駆動力）は、モータクラッチ７が係合状態であれば出力軸１２を通じて駆動軸６に伝達され、切断（開放）状態であれば遮断される。なお、モータクラッチ７の断接状態は、制御装置１によって制御される。
【００３３】
第二経路４２は、エンジン２の駆動力を駆動軸６に伝達する動力伝達経路である。第二経路４２上には、ジェネレータ４と同期して回転することで動力が伝達される入力軸１１及び入力軸１１の動力が伝達される第二カウンタ軸１６が設けられる。また、第二経路４２の中途（本実施形態では第二カウンタ軸１６上）には、その動力伝達を断接するクラッチ８が介装される。以下、このクラッチ８を「エンジンクラッチ８」とも呼ぶ。第二カウンタ軸１６には、右側（エンジン２に近い側）から順に、入力軸１１のギヤ１１ａと噛み合うギヤ１６ａと、エンジンクラッチ８と、デフ１８のリングギヤ１８ｂと噛み合うギヤ１６ｂとが設けられる。
【００３４】
エンジンクラッチ８は、例えば湿式の多板クラッチやドグクラッチである。エンジンクラッチ８よりも動力伝達経路の上流側（エンジン２及びジェネレータ４側）の動力は、エンジンクラッチ８が係合状態であれば出力軸１２を通じて駆動軸６に伝達され、切断（開放）状態であれば遮断される。なお、エンジンクラッチ８の断接状態は、制御装置１によって制御される。
【００３５】
第三経路４３は、エンジン２からジェネレータ４への動力伝達及びジェネレータ４からエンジン２への動力伝達に係る経路であり、ジェネレータ４が電動機及び発電機のそれぞれとして作動した場合の動力伝達を担うものである。ジェネレータ４が電動機として作動する場合には、ジェネレータ４の駆動力により入力軸１１を回転させることができる。エンジン２及びジェネレータ４は、クラッチを介すことなく、互いに噛み合うギヤ１１ａ，１４ａを介して直結されている。なお、ジェネレータ４が電動機として作動する場合には、ジェネレータ４の駆動力は第三経路４３の一部と第二経路４２の一部とを介して駆動軸６に伝達される。
【００３６】
本実施形態では、走行モードがＥＶモード又はシリーズモードである場合には、モータクラッチ７が係合状態とされ、エンジンクラッチ８が切断状態とされる。また、走行モードがパラレルモードであってモータアシスト（モータ３の駆動力）が不要な場合には、モータクラッチ７が切断状態とされ、エンジンクラッチ８が係合状態とされる。また、走行モードがパラレルモードであってモータアシストが必要な場合には、モータクラッチ７及びエンジンクラッチ８の双方が係合状態とされる。
【００３７】
［２．制御構成］
本実施形態の制御装置１は、モータクラッチ７が切断されている状態であってエンジン２の動力にて駆動輪５を駆動している際に、要求駆動力の一部をモータ３及びジェネレータ４のいずれか一方（すなわちエンジン２の駆動力以外の駆動力）で賄う場合に、車両１０の運転状況に基づいて選択した一方の回転電機３又は４を力行させる選択制御を実施する。選択制御は、車両１０に対する要求駆動力を、エンジン２の駆動力及びモータ３の駆動力、又は、エンジン２の駆動力及びジェネレータ４の駆動力によって実現するための制御である。選択制御は、走行モードがパラレルモードに設定されており、かつ、モータアシストがない状態のときに行われる。
【００３８】
制御装置１は、選択制御において、モータ３を選択した場合には、モータクラッチ７を切断状態から係合状態に移行させるとともにモータ３を力行させる（力行状態に制御する）。モータ３が選択される場合、モータクラッチ７の接続が完了するまでの間はモータ３の駆動力が駆動軸５に伝達されないが、モータクラッチ７の接続が完了すれば（係合状態への移行完了以後は）効率よく要求駆動力を実現できる。これは、一般的にモータ３の方がジェネレータ４よりも駆動（走行）に適した仕様の電動発電機が採用されるためである。
【００３９】
一方、制御装置１は、選択制御において、ジェネレータ４を選択した場合には、モータクラッチ７を切断状態のままとし、ジェネレータ４を力行させる（力行状態に制御する）。ジェネレータ４が選択される場合、ジェネレータ４の駆動力が第三経路４３の一部と第二経路４２の一部とを介して駆動軸６に伝達される。この動力伝達とモータクラッチ７の断接状態とは無関係である。言い換えると、モータクラッチ７を接続させることなく、速やかに要求駆動力を実現できる。
【００４０】
本実施形態の運転状況には、要求駆動力の増加率と車両１０の周辺状況との少なくとも一方が含まれる。運転状況に要求駆動力の増加率が含まれる場合、この増加率の大小によって車両１０に対する運転者の加速要求度合いを把握できる。具体的には、増加率が大きいほど加速要求の度合いが高く、反対に、増加率が小さいほど加速要求の度合いが低い。なお、加速要求の度合いは、単純にアクセルペダルの踏み込み速度（アクセル開速度）からも把握可能である。すなわち、アクセルペダルの踏み込み速度が運転状況に含まれてもよい。また、要求駆動力の増加率に代えて、又は、加えて、要求駆動力の大きさやアクセル開度が運転状況に含まれていてもよい。
【００４１】
また、周辺状況としては、例えば、車両１０の前方に先行車を含む物体（先行物体）が存在するか否か，先行物体との距離，先行車の走行状態（車速，車線変更の有無等），車両１０の車線変更要求，車両１０の走行路面の勾配（上り坂が否か）などが挙げられる。これらはいずれも、車両１０がより大きな駆動力を必要とする状況であるか否かを判断する要素である。言い換えると、周辺状況は、車両１０がより大きな駆動力を要する状況であるか否かを判断しうる要素であればよい。
【００４２】
これらの運転状況は、上記の入力装置３１〜３６で取得される。具体的には、要求駆動力の大きさや増加率はアクセル開度センサ３１及び車速センサ３２から取得可能であり、先行物体に関する情報はカメラ３３及びレーダ３４から取得可能である。また、車両１０の車線変更要求はウィンカースイッチ３６から取得可能であり、走行路面の勾配はナビゲーション装置３５から取得可能である。制御装置１は、入力装置３１〜３６から伝達された各種情報を処理することで、運転状況を取得する。なお、上記の入力装置３１〜３６以外の装置から運転状況を取得してもよい。言い換えると、運転状況の取得方法や取得装置は特に限られない。
【００４３】
本実施形態の制御装置１には、上記の選択制御を実施する機能に加え、要求駆動力を算出する機能と、車速，要求駆動力，バッテリ９の充電状態等に基づいて走行モードを選択して設定する機能とが設けられる。本実施形態では、要求駆動力を算出する機能要素を「算出部１Ａ」と呼び、走行モードを設定する機能要素を「設定部１Ｂ」と呼び、選択制御を実施する機能要素を「選択制御部１Ｃ」と呼ぶ。これらの要素は、制御装置１で実行されるプログラムの一部の機能を示すものであり、ソフトウェアで実現されるものとする。ただし、各機能の一部又は全部をハードウェア（電子回路）で実現してもよく、あるいはソフトウェアとハードウェアとを併用して実現してもよい。
【００４４】
算出部１Ａは、例えばアクセル開度センサ３１で検出されたアクセル開度（APS）と車速センサ３２で検出された車速とに基づいて、車両１０に対する要求駆動力（要求出力）を算出する。なお、算出部１Ａは、前後加速度や横加速度，ステアリング角度や車体の傾きといったパラメータを考慮して、より正確な要求駆動力を算出してもよい。算出部１Ａは、選択制御時に限らず、例えば車両１０の主電源が投入されている状態や車速が０でない状態で常に要求駆動力を算出する。
【００４５】
設定部１Ｂは、例えば図２に示すマップに対し、現在の車速及び要求駆動力を適用することで走行モードを選択し、その走行モードを設定する。本実施形態の設定部１Ｂは、バッテリ９の充電状態（充電率）に応じて、図２に例示したマップの各領域を変更する。例えば、バッテリ９の充電率が低くなるにつれ、ＥＶモードよりもシリーズモードが選択されやすくなるよう、マップの領域が変更される。なお、設定部１Ｂがマップの領域を変更する代わりに、バッテリ９の充電率ごとに異なる領域が設定されたマップを複数記憶しておき、充電率に対応するマップを選択する構成としてもよい。
【００４６】
選択制御部１Ｃは、図３に示すように、設定部１Ｂによりパラレルモードが設定されており、かつ、モータクラッチ７が切断状態である場合に、選択制御を実施するか否かを判定する。具体的には、選択制御部１Ｃは、算出部１Ａで算出される要求駆動力に基づき、要求駆動力の一部をモータ３及びジェネレータ４のいずれか一方で賄う必要があるか否かを判断し、必要であれば選択制御を実施し、不要であれば選択制御を実施しない。なお、図３中の模様付き太矢印は、動力の伝わり方を示す。図３に示す状態ではエンジンクラッチ８が接続されていることから、エンジン２の駆動力のみで車両１０は走行している。
【００４７】
本実施形態の選択制御部１Ｃは、要求駆動力とエンジン２の最大駆動力とを比較し、前者が後者よりも大きければ「モータ３又はジェネレータ４で駆動力の一部を賄う必要がある」と判定し、前者が後者以下であれば「モータ３又はジェネレータ４で駆動力の一部を賄う必要はない」と判定する。つまり、本実施形態では、エンジン２の駆動力だけでは要求駆動力を実現できない状況になると、モータ３の駆動力及びジェネレータ４の駆動力のいずれか一方を付加するために選択制御が実施される。
【００４８】
要求駆動力がエンジン２の最大駆動力よりも大きくなる状況としては、例えば運転者が加速のためにアクセルペダルを踏み込んだときが挙げられる。なお、エンジン２の最大駆動力は、例えば車速に応じて変化する可変値として制御装置１に予め設定されている。選択制御部１Ｃは、上記の要否判定の時点における車速を取得し、この車速に応じた値（最大駆動力）を判定に用いる。
【００４９】
選択制御部１Ｃは、選択制御を実施する場合には、モータ３又はジェネレータ４で、要求駆動力の一部の駆動力を発生させるための時間の長さ（以下「発生期間」と呼ぶ）を運転状況から予め推定する。本実施形態では、この発生期間がモータ３の駆動力又はジェネレータ４の駆動力を付加する付加時間となる。発生期間の推定手法は特に限られない。例えば、運転状況に要求駆動力の増加率や大きさが含まれる場合には、要求駆動力の大きさ又は増加率と発生期間との関係を予め記憶しておき、選択制御部１Ｃが、算出部１Ａで算出される要求駆動力をこの関係に適用することで発生期間を推定してもよい。また、運転状況に周辺状況が含まれる場合には、上述した周辺状況ごとに発生期間との関係を予め設定しておき、選択制御部１Ｃが、取得した周辺状況をその関係に適用することで発生期間を推定してもよい。
【００５０】
選択制御部１Ｃは、予め推定した発生期間に基づいて一方の回転電機３又は４を選択する。本実施形態の選択制御部１Ｃは、発生期間が所定値未満であればジェネレータ４を選択し、発生期間がこの所定値以上であればモータ３を選択する。これは、上述したように、ジェネレータ４の方がモータ３よりも速やかな要求駆動力の実現に適し、モータ３の方がジェネレータ４よりも効率的な要求駆動力の実現に適しているためである。
【００５１】
つまり、発生期間が短いのであれば、モータクラッチ７をわざわざ接続させなくても、一時的にジェネレータ４の駆動力を駆動軸６に伝達する方がより早く加速を実現できる。反対に、発生期間が長いのであれば、モータクラッチ７の接続が完了してからもエンジン２以外の駆動力を駆動軸６に伝達する必要があるため、駆動に適したモータ３を利用した方が長期的に要求駆動力を効率よく実現できる。なお、上記の所定値は、例えばモータクラッチ７の接続を開始してから接続が完了するまでの時間よりも短い時間に予め設定されている。
【００５２】
また、運転状況にアクセルペダルの踏み込み速度が含まれる場合に、選択制御部１Ｃがこの踏み込み速度に基づいて（すなわち上記の発生期間を推定せずに）、一方の回転電機３又は４を選択してもよい。この場合、選択制御部１Ｃは、踏み込み速度が所定速度以上であればジェネレータ４を選択し、踏み込み速度がこの所定速度未満であればモータ３を選択することができる。所定速度は、より強い加速が要求されているか否かを判断する閾値速度であり、予め設定されている。
【００５３】
選択制御部１Ｃは、モータ３を選択した場合にはモータクラッチ７を接続し、モータクラッチ７の係合状態への移行が完了した以後にモータ３を力行状態に制御する。そして、モータ３によるアシストを実施している時間が発生期間に達したら、モータクラッチ７を切断し、モータ３を無負荷状態に制御する。一方、選択制御部１Ｃは、ジェネレータ４を選択した場合にはモータクラッチ７に対する制御は特に実施せず、ジェネレータ４を力行状態に制御し、ジェネレータ４によるアシストを実施している時間が発生期間に達したら、ジェネレータ４を無負荷状態に制御する。
【００５４】
［３．フローチャート］
図４は、上述した制御装置１で実施される制御内容を説明するためのフローチャート例である。このフローチャートは、車両１０の主電源が投入されている状態で所定の演算周期で実施される。なお、制御装置１の設定部１Ｂによる走行モードの設定は、このフローチャートとは別に実行されるものとし、設定される走行モードの情報は選択制御部１Ｃに伝達されるものとする。
【００５５】
ステップＳ１では、上記の入力装置３１〜３６で検出，取得された情報と設定部１Ｂでの走行モードの設定情報とが伝達される。ステップＳ２では、設定中の走行モードがパラレルモードであるか否かが判定される。現在の走行モードがパラレルモードでない場合はこのフローチャートをリターンする。現在の走行モードがパラレルモードである場合はステップＳ３に進み、フラグＦがＦ＝０であるか否かが判定される。
【００５６】
フラグＦは、要求駆動力の一部がモータ３又はジェネレータ４のいずれか一方で賄われているか否か（エンジン２に対するアシストの有無）を示すとともに、アシストがある場合にはその種類（モータ３又はジェネレータ４）を示す変数である。具体的には、Ｆ＝０は「アシスト無し」，Ｆ＝１は「ジェネレータ４によるアシスト有り」，Ｆ＝２は「モータ３によるアシスト有り」であることを表す。ステップＳ３では、フラグＦ＝０であるか否か、つまり、アシストの有無が判定される。Ｆ＝０であれば（モータ３及びジェネレータ４がエンジン２をアシストしていなければ）ステップＳ４に進む。
【００５７】
ステップＳ４では要求駆動力が算出され、続くステップＳ５では、算出された要求駆動力がエンジン２の最大駆動力よりも大きいか否かが判定される。要求駆動力≦エンジン最大駆動力であれば、エンジン２の駆動力のみで要求駆動力を賄うことができるため、このフローチャートをリターンする。反対に、要求駆動力＞エンジン最大駆動力であればステップＳ６に進み、発生期間が推定される。すなわちこの場合は、エンジン２の駆動力だけでは要求駆動力を満足できず、モータ３又はジェネレータ４の駆動力を付加する必要があるため、ステップＳ６以降の処理によってどちらを用いるのかを決定する。
【００５８】
ステップＳ７では、ステップＳ６で推定された発生期間が所定値未満であるか否かが判定される。発生期間＜所定値であればジェネレータ４が選択されるため、ステップＳ８に進んでジェネレータ４が力行状態に制御される。次いで、タイマカウントが開始されるとともに（ステップＳ９）、フラグＦがＦ＝１に設定される（ステップＳ１０）。さらに、ステップＳ１１では、ステップＳ９でカウントが開始されたタイマの値が、ステップＳ６で推定された発生期間以上であるか否かが判定される。
【００５９】
タイマカウント値＜発生期間であればこのフローチャートをリターンする。この場合（ジェネレータ４の力行運転中）は、次の演算周期においてステップＳ３からステップ１２に進み、Ｆ＝１であるか否かが判定される。この場合、フラグＦはＦ＝１であるため、ステップＳ１２からステップＳ１１に進む。すなわち、タイマカウント値が発生期間に達するまではステップＳ１１の判定が繰り返し実施される。
【００６０】
タイマカウント値≧発生期間になると、ステップＳ１１からステップＳ１３に進み、力行運転中のジェネレータ４が無負荷状態に制御される。すなわち、この時点でジェネレータ４による駆動力のアシストが終了する。そして、ステップＳ１４ではタイマカウントが停止されるとともに値がリセットされ、ステップＳ１５ではフラグＦがＦ＝０に設定されて、このフローチャートをリターンする。
【００６１】
一方、ステップＳ７において、発生期間≧所定値であればモータ３が選択されるため、ステップＳ１６に進んでモータクラッチ７が接続されるとともに、ステップＳ１７においてモータ３が力行状態に制御される。次いで、タイマカウントが開始されるとともに（ステップＳ１８）、フラグＦがＦ＝２に設定される（ステップＳ１９）。さらに、ステップＳ２０では、ステップＳ１８でカウントが開始されたタイマの値が、ステップＳ６で推定された発生期間以上であるか否かが判定される。
【００６２】
タイマカウント値＜発生期間であればこのフローチャートをリターンする。この場合（モータ３の力行運転中）は、次の演算周期においてステップＳ３からステップ１２に進み、Ｆ＝１であるか否かが判定される。この場合、フラグＦはＦ＝２であるため、ステップＳ１２からステップＳ２０に進む。すなわち、タイマカウント値が発生期間に達するまではステップＳ２０の判定が繰り返し実施される。
【００６３】
タイマカウント値≧発生期間になると、ステップＳ２０からステップＳ２１に進み、モータクラッチ７が切断されるとともに力行運転中のモータ３が無負荷状態に制御される。すなわち、この時点でモータ３による駆動力のアシストが終了する。そして、上述したステップＳ１４，Ｓ１５の処理がされ、このフローチャートをリターンする。
【００６４】
［４．効果］
（１）上述した車両１０には、モータ３からの動力とエンジン２からの動力とが駆動軸６に個別に伝達されるよう二つの動力伝達経路４１，４２が設けられており、さらにエンジン２の動力がジェネレータ４にも伝達されるとともに、ジェネレータ４が力行状態に制御された際にジェネレータ４の動力が駆動軸６に伝達される。このような車両１０に設けられた制御装置１では、モータクラッチ７の切断状態でのパラレルモード中であって要求駆動力の一部をモータ３及びジェネレータ４のいずれか一方で賄う場合に、運転状況に基づいて選択した一方の回転電機３又は４を力行させる。このため、切断状態のモータクラッチ７を適切に接続でき、効率よく要求駆動力を実現することができる。
【００６５】
（２）モータ３で要求駆動力の一部を賄う場合には、ジェネレータ４を発電機として待機させておくことができる。一方、ジェネレータ４で要求駆動力の一部を賄う場合にはモータクラッチ７を接続する必要がなく、速やかに駆動力を発生させることができる。上述した制御装置１は、このような観点から、要求駆動力の一部の駆動力を発生させるための発生期間を運転状況から予め推定し、この発生期間に基づき一方の回転電機３又は４を選択する。このため、モータクラッチ７の断接状態を適切に制御できるとともに、効率よく要求駆動力を実現することができる。
【００６６】
（３）上述した制御装置１によれば、発生期間が短い（発生期間＜所定値である）場合にはジェネレータ４が選択されるため、速やかに駆動力を駆動軸６に伝えることができる。一方、発生期間が長い（発生期間≧所定値である）場合にはモータ３が選択されるため、比較的長い発生期間のあいだ、継続して効率よく駆動力を駆動軸６に伝達することができる。さらにこの場合はジェネレータ４を発電機として待機させておくこともできる。
【００６７】
（４）運転状況に要求駆動力の増加率が含まれている場合、要求駆動力の増加率によって短時間での加速が必要な状況であるか否かを判断できる。また、運転状況に周辺状況（例えば先行車の有無や路面の勾配など）が含まれている場合、この周辺状況によって短時間での加速が必要な状況であるか否かを判断できる。したがって、少なくともこれら二つのうちの一方が運転状況に含まれていれば、モータ３及びジェネレータ４のどちらを使用した方が、より効率よく要求駆動力を実現できるかを正確に判断することができる。
【００６８】
（５）また、運転状況にアクセルペダルの踏み込み速度が含まれている場合、このアクセルペダルの踏み込み速度を選択する際の判定に用いることで、より強い加速が必要な場面ではジェネレータ４を選択でき、それほど加速が必要ではない場面ではモータ３を選択することができる。これにより、モータクラッチ７の断接状態を適切に制御できるとともに、効率よく要求駆動力を実現することができる。
【００６９】
（６）上述した制御装置１では、モータクラッチ７が切断されている状態であってエンジン２の動力にて駆動輪５を駆動している際（パラレルモード中）に、要求駆動力がエンジン２の最大駆動力よりも大きくなったら上記の選択制御が実施される。言い換えると、制御装置１は、エンジン２の最大駆動力を超える駆動力が要求された場合に限りモータ３又はジェネレータ４の駆動力を付加するため、要求駆動力の実現と電費向上とを両立させることができる。
【００７０】
［５．その他］
上述した選択制御の内容は一例であって、上述したものに限られない。上述した制御装置１は、モータクラッチ７が切断されている状態であってエンジン２の駆動中（パラレルモード中）に、要求駆動力がエンジン２の最大駆動力よりも大きくなった場合に選択制御を開始しているが、選択制御の開始条件はこれに限られない。
【００７１】
例えば、エンジン２の最大駆動力よりもやや小さな値に設定された判定閾値を設けておき、モータクラッチ７が切断されている状態であってパラレルモード中に要求駆動力がこの判定閾値を超えたら選択制御を実施する構成としてもよい。なお、この判定閾値は予め設定された固定値であってもよいし、車両１０の走行状態等に応じて設定される可変値であってもよい。選択制御は、少なくとも、モータクラッチ７が切断されている状態であってエンジン２の動力で駆動輪５を駆動している際に、要求駆動力の一部をモータ３及びジェネレータ４のいずれか一方で賄う場合に実施されればよく、車両１０の加速時以外の走行状態で実施されてもよい。
【００７２】
上述した運転状況やその取得装置は一例であって、上述したものが全て含まれていなくてもよいし、上述したもの以外の要素が含まれていてもよい。運転状況には、少なくとも、モータ３及びジェネレータ４のどちらを選択すればよいかを判断できる要素が含まれていればよい。
【００７３】
上述した制御装置１が制御するトランスアクスル２０の構成は一例であって、上述したものに限られない。また、トランスアクスル２０に対するエンジン２，モータ３，ジェネレータ４の相対位置は上述したものに限らない。これらの相対位置に応じて、トランスアクスル２０内の六つの軸１１〜１６の配置を設定すればよい。また、トランスアクスル２０内の各軸に設けられるギヤの配置も一例であって、上述したものに限られない。
【００７４】
上述した選択制御を実施する制御装置は、二つの回転電機（モータやモータジェネレータ等）及びエンジンを備えた車両であって、エンジンの動力及び第一の回転電機の動力を互いに異なる動力伝達経路から個別に駆動輪に伝達するとともに、エンジンの動力を第二の回転電機にも伝達して発電する車両に対して適用可能であり、車両には、第一の回転電機の動力を駆動輪に伝達する動力伝達経路上に断接機構が設けられていればよい。すなわち、上述したトランスアクスル２０以外の変速装置を備えた車両に対して、上述した選択制御を実施する制御装置を適用してもよい。上記実施形態では、断接機構としてモータクラッチ７（クラッチ機構）を例示したが、断接機構はこれに限られない。例えば、断接機構として、係合部材（スリーブ）を用いたシンクロ機構や、サンギヤとキャリアとリングギヤとを用いた遊星歯車機構を採用してもよい。なお、エンジンクラッチ７も同様に、クラッチ機構に限られず、シンクロ機構や遊星歯車機構であってもよい。
【００７５】
なお、上述した実施形態では、車両１０の前側にエンジン２及びモータ３が搭載された前輪駆動のハイブリッド車両を例示したが、上記の選択制御は、車両の後側にリヤモータ（図示略）が搭載された四輪駆動のハイブリッド車両においても実施可能である。また、車両１０に搭載される回転電機３，４は上記のモータ３，ジェネレータ４に限られない。第一の回転電機は、回転する電機子又は界磁を有し、少なくとも電動機能を有する電動発電機（モータジェネレータ）又は電動機であればよい。また、第二の回転電機は、回転する電機子又は界磁を有し、少なくとも発電機能を有する電動発電機（モータジェネレータ）又は発電機であればよい。
【符号の説明】
【００７６】
１  制御装置
１Ａ  算出部
１Ｂ  設定部
１Ｃ  選択制御部
２  エンジン
３  モータ（第一の回転電機）
４  ジェネレータ（第二の回転電機）
５  駆動輪
６  駆動軸
７  モータクラッチ（断接機構）
８  エンジンクラッチ
９  バッテリ
１０  車両
２０  トランスアクスル
４１  第一経路（第一の動力伝達経路）
４２  第二経路（第二の動力伝達経路）
４３  第三経路（第三の動力伝達経路）
【図１】
2020148974.tif 000003
【図２】
2020148974.tif 000004
【図３】
2020148974.tif 000005
【図４】
2020148974.tif 000006
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
エンジンと第一の回転電機と第二の回転電機とが搭載され、前記エンジンの動力及び前記第一の回転電機の動力を互いに異なる動力伝達経路から個別に駆動輪に伝達するとともに前記エンジンの動力を前記第二の回転電機にも伝達して発電する車両の制御装置において、
前記車両には、前記第一の回転電機の動力を前記駆動輪に伝達する動力伝達経路上に断接機構が設けられ、
前記制御装置は、前記車両に対する要求駆動力を算出するとともに、前記断接機構が切断されている状態であって前記エンジンの動力にて前記駆動輪を駆動している際に、前記要求駆動力の一部を前記第一の回転電機及び前記第二の回転電機のいずれか一方で賄う場合に、前記第一の回転電機、又は、前記第二の回転電機で、前記要求駆動力の一部の駆動力を発生させるための発生期間を前記車両の運転状況から予め推定し、予め推定した前記発生期間に基づいて選択した前記一方の回転電機を力行させる
ことを特徴とする、車両の制御装置。
【請求項２】
（削除）
【請求項３】
前記制御装置は、前記発生期間が所定値未満であれば前記第二の回転電機を選択し、前記発生期間が前記所定値以上であれば前記第一の回転電機を選択する
ことを特徴とする、請求項１記載の車両の制御装置。
【請求項４】
前記運転状況には、前記要求駆動力の増加率及び前記車両の周辺状況の少なくとも一方が含まれる
ことを特徴とする、請求項１又は３記載の車両の制御装置。
【請求項５】
前記制御装置は、アクセルペダルの踏み込み速度が所定速度以上であれば前記第二の回転電機を選択し、前記踏み込み速度が前記所定速度未満であれば前記第一の回転電機を選択する
ことを特徴とする、請求項１，３，４のいずれか１項に記載の車両の制御装置。
【請求項６】
前記制御装置は、前記断接機構が切断されている状態であって前記エンジンの駆動中に、前記要求駆動力が前記エンジンの最大駆動力よりも大きくなったら前記要求駆動力の一部を前記第一の回転電機及び前記第二の回転電機のいずれか一方で賄う
ことを特徴とする、請求項１，３〜５のいずれか１項に記載の車両の制御装置。
【国際調査報告】
2020148974.tif 000007
2020148974.tif 000008
2020148974.tif 000009
2020148974.tif 000010
2020148974.tif 000011
2020148974.tif 000012